(57)【要約】【課題】  同時刻帯の最大録画予約登録数が放送波受信装置のチューナの搭載数にて決定される番組録画予約装置において、番組表上にて選択された番組が録画予約可能か否かを視覚的に容易に把握する事ができる番組録画予約装置を得る。【解決手段】  枠２０５にて囲まれている現在選択されている番組が属する時刻帯に、既に録画予約された番組セル２０６にて示される録画予約済み番組が、最大録画予約数と同数の場合は吹き出し型メッセージ２０７が表示される番組表２０１を作成する番組表作成手段を備えたことを徳用とする。【選択図】図２
2008148076.tif 000002
【特許請求の範囲】
【請求項１】
テレビジョン放送の番組を受信して記録する番組録画予約装置において、
前記テレビジョン放送の番組情報を格納する番組情報格納部と、
録画予約された番組の録画予約情報を格納する録画予約情報格納部と、
前記番組情報格納部に格納された番組情報、及び前記録画予約情報格納部に格納された録画予約情報に基づいて番組表を作成して画面上に表示させる番組表作成部と、を備え、
前記表示された番組表上において所望の番組を指定するためのカーソルが移動可能であり、
前記番組表作成部は、前記カーソルで指定された番組が属する時間帯の録画予約数が該時間帯における最大録画予約数と同数であった場合には、当該番組の指定に応答してメッセージを画面上に表示させることを特徴とする番組録画予約装置。
【請求項２】
請求項１記載の番組録画装置において、前記指定された番組が録画予約できない場合には、既に録画予約されている番組の予約の再設定を行うための項目を前記メッセージと同時に表示させ、前記項目を選択することにより既に録画予約されている番組について予約の再設定を行えるようにしたことを特徴とする番組録画予約装置。
【請求項３】
請求項１記載の番組録画予約装置において、前記メッセージは、前記指定された番組が録画予約不可であることをユーザーへ告知するための情報を含むことを特徴とする番組録画予約装置。
【請求項４】
請求項１記載の番組録画予約装置において、前記メッセージは、前記番組表に重ね合わせて表示されることを特徴とする番組録画予約装置。
【請求項５】
請求項１記載の番組録画予約装置において、前記番組表は、番組毎に区分された複数のセルを含むマトリクス状に構成されており、前記番組表作成部は、前記録画予約情報格納部に格納された録画予約情報に基づいて、録画予約されている番組を含むセルを他の番組を含むセルと視覚的に識別されるようにすることを特徴とする番組録画予約装置。
【請求項６】
請求項５記載の番組録画予約装置において、前記番組表作成部は、前期録画予約されている番組を含むセルを他の番組を含むセルと色または輝度を異ならせることを特徴とする番組録画予約装置。
【請求項７】
請求項１記載の番組録画装置において、前記最大録画予約数は、前記番組録画装置によって制御されるチューナの数と等しいことを特徴とする番組録画予約装置。
【請求項８】
テレビジョン放送の番組を受信するテレビジョン受信装置において、
受信された番組を録画するための録画部と、
前記テレビジョン放送の番組情報を格納する番組情報格納部と、
前記番組情報格納部に格納された番組情報を用いて、チャンネル毎の番組スケジュールを表す番組表を画面上に表示させる番組表作成部と、
前記表示された番組表から指定された番組の時刻情報及びチャンネル情報から録画予約情報を作成して格納する録画予約情報格納部と、
前記録画予約情報格納部に格納された録画予約情報に基づいて、前記録画部への番組の録画を制御する録画制御部と、を備え、
前記番組表作成部は、前記指定された番組が属する時間帯の録画予約数が、該時刻帯における最大録画予約数と同数であった場合には、当該番組の指定に応答してメッセージを画面上に表示させることを特徴とするテレビジョン受信装置。
【請求項９】
請求項８記載のテレビジョン受信装置において、前記番組表作成部は、前記録画予約情報格納部に格納された録画予約情報を含む前記番組表を作成することを特徴とするテレビジョン受信装置。
【請求項１０】
請求項８記載のテレビジョン受信装置において、前記番組表内の番組がカーソルにより指定され、該カーソルによる指定に応答して前記メッセージを表示することを特徴とするテレビジョン受信装置。
【請求項１１】
請求項８記載のテレビジョン受信装置は、前期受信番組、前記番組表、及び前記メッセージが表示されるディスプレイを備えたテレビジョン表示装置であることを特徴とするテレビジョン受信装置。
【発明の詳細な説明】
【技術分野】
【０００１】
本発明は、テレビジョン放送の番組及び番組情報を受信して記録する番組録画予約装置に関し、特に画面上に番組表を表示する技術に関するものである。
【背景技術】
【０００２】
近年、例えば地上ディジタル放送のような、ディジタル化したテレビジョン信号を伝送し、各家庭においてこれを受信してテレビ番組を視聴するディジタル伝送システムが運用されている。この種のシステムでは、多くのチャネルを確保する事ができるので非常に多数の番組を放送する事ができる。このようなシステムでは、多数の番組の放送内容を示す電子番組ガイド（ＥＰＧ：Electronic Program Guide）に関する情報が番組の映像・音声情報と共に各家庭の受信機に送信される。各家庭では、ユーザーが受信機を操作してこのＥＰＧを番組表としてＴＶディスプレイ上に表示させる。ユーザーはＴＶディスプレイ上に表示された番組表上で、所望の番組を探して選局、視聴、及び録画が可能である。更に、番組表を用いて所望番組の視聴予約、録画予約を行うことも可能である。また、予約された番組の情報を予約番組のリストとして表示させたり、番組表のひとつの番組欄（以下「セル」と称す）内に予約された事を示すアイコンを表示させたりすることができ、これによりユーザーは予約された番組を確認する事ができる。
【０００３】
ところで、近年の受信機は、複数のチューナを備えており、この複数のチューナにより同一時間帯で複数の番組を同時に録画もしくは録画予約可能に構成されている場合がある。このような受信機において、最大録画予約数（チューナの数と等しい）を超える録画予約がＥＰＧ上で為される場合にメッセージを表示し、録画予約された複数の番組について録画予約の再設定を行う技術が、下記特許文献１に開示されている。
【０００４】
【特許文献１】特開２００４−１５３６５５号公報
【発明の開示】
【発明が解決しようとする課題】
【０００５】
しかしながら、特許文献１は、上記メッセージ（ユーザーへ複数の録画予約番組について優先順位の再設定を促すメッセージ）を表示するためには、録画予約数が最大となっている時間帯のセルにカーソルを合わせ、そのセルを決定するための決定ボタンを押し、そのセルの番組付いてどのような処理を行うかを選択するための選択肢を含むメッセージを表示させ、更に選択肢から録画予約を選択するための操作をしなければならない。
【０００６】
すなわち、特許文献１に記載の技術では、番組表上において所望の番組が録画予約可能かどうかを確認するためには、様々な操作や処理が必要となり、ユーザーに煩わしさを感じさせる可能性がある。
【０００７】
本発明は、上記課題に鑑みて為されたものであって、その目的は、番組表上の所望番組について録画予約可能かを容易かつ迅速に確認することが可能な技術を提供することにある。
【課題を解決するための手段】
【０００８】
上記課題を解決するために、本発明は、番組表上で指定された番組が属する時間帯の録画予約数が該時間帯における最大録画予約数と同数であった場合には、当該番組の指定に応答してメッセージを画面上に表示させることを特徴とするものである。
【０００９】
また、前記指定された番組が録画予約できない場合には、既に録画予約されている番組の予約の再設定を行うための項目を前記メッセージと同時に表示させ、前記項目を選択することにより既に録画予約されている番組について予約の再設定を行えるようにしてもよい。
【発明の効果】
【００１０】
本発明によれば、番組表上において番組が指定された時、指定された番組が属する時刻帯の録画予約数が同時刻帯の最大録画予約数と同数であり、選択された番組が録画予約できない場合には、その指定に応答して録画予約できない旨のメッセージを表示するため、録画したい番組が録画可能か否かを容易かつ迅速に確認できる。
【発明を実施するための最良の形態】
【００１１】
本発明の実施形態について図面を参照しつつ以下に説明する。図１は本実施形態に係る番組録画予約装置の概略構成の一例を示している。本実施例に係る番組録画予約装置は、例えばＤＶＤレコーダ、ＨＤＤレコーダ、ＶＴＲ等の録画機器、またＨＤＤを内蔵したテレビジョン表示装置に適用できる。そして本実施例に係る番組録画予約装置は、テレビジョン放送を受信するための複数のチューナを備えており、これらのチューナを個別に独立して動作させることにより、複数の異なる番組が同時に録画可能にされる。この複数のチューナは、一つの装置内に設けられてもよいし、互いに接続された複数の機器のそれぞれに設けられてもよい。例えば、ＨＤＤ内蔵のテレビジョン表示装置を主機器とし、それに接続されたＤＶＤレコーダ、ＨＤＤレコーダなどを副機器として、これらの機器のそれぞれに設けられたチューナを主機器であるテレビジョン表示装置で制御して、複数の異なる番組が同時に録画してもよい。
【００１２】
図１において、放送ストリーム取得・解析部１０１は、受信された放送局からの放送ストリームを取得し、該放送ストリームに含まれる番組情報であるＥＰＧデータを抽出、解析して番組情報格納・管理部１０２へ出力する。番組情報格納・管理部１０２は、放送ストリーム取得・解析部１０１からのＥＰＧデータを格納し、管理するよう動作する。ここで、放送ストリームで送信されるＥＰＧデータは、放送局側において所定周期で更新される（例えば１時間に１回）ものとし、番組情報格納・管理部１０２に格納されるＥＰＧデータの内容も、その更新に応じて周期的に構成されるものとする。番組表作成部１０５は、番組情報格納・管理部１０２に格納されたＥＰＧデータに基づいて、図２に示されるような番組毎に区分された複数の領域（セル）、及びその番組表上を移動可能であり、所望のセルを指定するためのカーソルを含むマトリクス状の番組表を作成してディスプレイ１０６の画面上に表示させる。図２の詳細については後述する。
【００１３】
本実施例に係る番組録画予約装置は、例えばリモコン装置上に配列された入力キー群１０３に対するユーザーの操作に応答して操作、制御される。入力キー群１０３が設けられるリモコン装置の一例が図６に示される。
【００１４】
図６に示されるリモコン装置に設けられる入力キー群１０３は、録画予約装置の電源をＯＮ／ＯＦＦするための電源ボタン６１と、番組表を画面上に表示させるための番組表ボタン６２と、番組表上のカーソルを上下方向及び左右方向に移動させるための４方向のカーソルキー６３と、このカーソルキー６３の中央部に設けられた決定ボタン６４と、キャンセルボタン６５と、更にチャンネルキーや音量調節キーなどを含むその他キー群６６とを含んでいる。
【００１５】
入力キー群１０３に対する操作により発生されたリモコン信号は入力キー処理部１０４にて受信され、この入力キー処理部１０４は、受信されたリモコン信号をコマンドに変換して番組情報格納・管理部１０２、番組表作成部１０５、及び録画予約情報格納・管理部１０７に出力する。例えば、ユーザーが番組表ボタン６２を押したならば、リモコン装置はそれに応答したリモコン信号を送信し、入力キー処理部１０４は、そのリモコン信号から番組表を表示させるためのコマンドを生成して番組表作成部１０５に出力する。番組表作成部１０５は、そのコマンドに応答して番組情報格納・管理部１０２に格納された情報を取得して番組表をディスプレイ１０６に出力するための画像を作成する。
【００１６】
また、番組表内の所望の番組を含むセルをカーソルキー６３カーソルにて指定し、更に決定ボタン６４を押すことによって、録画予約情報格納・管理部１０７で録画予約を行うことができる。すなわち、所望番組について決定が為されると、録画予約情報格納・管理部１０７は、当該決定されたセル内の番組の放送日、開始時刻、終了時刻、及びチャンネルの情報を上記番組情報格納・管理部１０２から取得して録画予約情報として格納する。この録画予約情報格納・管理部１０７に格納された録画予約情報に基づいて録画コマンド処理部１０８は、番組表上で選択された番組を録画記録装置１０９に録画するように動作する。例えば、録画コマンド処理部１０８は、タイマにより現在時刻をカウントしており、そのカウント値が上記取得され録画予約情報格納・管理部１０７に格納された選択番組の放送日の開始時刻になると、録画記録装置１０９の電源をＯＮにするための電源コマンド、録画を実行するための録画コマンド、録画予約情報格納・管理部１０７に格納された選択番組のチャンネルを選局するための選局コマンドを録画記録装置１０９に送信する。これにより選択された番組の録画が行われる。また、録画コマンド処理部１０８のカウント値が録画予約情報格納・管理部１０７に格納された選択番組の放送終了時刻になると、録画コマンド処理部１０８は、録画を停止するための停止コマンド、録画記録装置１０９の電源をＯＦＦにするための電源コマンドを録画記録装置１０９に送信し、録画を終了する。
【００１７】
また番組表作成部１０５は、録画予約情報格納・管理部１０７に格納された録画予約情報を参照し、録画予約された番組についてその表示形態を他と異ならせるように加工する。更に番組表作成部１０５は、録画予約情報格納・管理部１０７に格納された録画予約情報を参照することで、カーソルで指定されたセル内の番組が含まれる時間帯において録画予約された番組の数を検出する。その時間帯の録画予約数が、チューナの数によって定まる最大録画予約数と比較し、同数の場合は、録画予約できない旨のメッセージを、上記カーソルによる番組の指定に応答して、決定ボタン６４が押されることなくディスプレイ１０６に表示させる。このメッセージは、図2に示されるように番組表に重ね合わせて表示される。さらに前記録画予約できない旨のメッセージの吹き出し内に項目（アイコン）を設ける。そして、この項目を選択する事によって、録画予約情報格納・管理部１０７のデータを参照して同時刻帯で既に録画予約されている番組を検索し、予約再設定をすることができる。
【００１８】
次に、本実施形態にかかる番組表の表示画面の一例について図２を参照しつつ説明する。図２は、同時刻帯における最大録画予約数が３つ（つまりチューナの数が３つ）の番組録画予約装置において、上述のメッセージを表示する例を示している。ディスプレイ１０６の表示画面上には番組表２０１が表示されており、その番組表２０１の上端には、チャンネル表示欄２０２が設けられており、また左端には時間帯表示欄２０３が設けられている。すなわち本実施例に係る番組表は、横軸をチャンネル軸、縦軸を時間軸としたマトリクス形式により構成されている。番組表２０１は、このチャンネル表示欄及び時間帯表示欄に対応するように、番組毎に区分された領域である複数の番組セル２０４を含んでいる。これにより、チャンネル毎の番組放送スケジュールが番組表２０１により提供される。
【００１９】
また、番組表２０１は、番組表２０１上を移動可能な、所望の番組が表示された番組セル２０４を指定するためのカーソル（枠）が表示されており、これにより、現在指定されている番組セルを他の番組セルと視覚的に区別される。ユーザーは、上記カーソルキー６３によって、このカーソル２０５を移動させて所望の番組を指定することが可能となる。本実施例では、録画予約情報格納・管理部１０７に格納された録画予約情報を用いて、録画予約された番組の番組セル２０４を他の番組セルとは視覚的に識別できるように表示する。符号２０６は、録画予約番組を示し、これは他の番組のセルとは異なる色（例えば赤）に着色される。例えば、０１０チャンネルの「ドキュメンタリー」、０３０チャンネルの「バラエティー」及び０４０チャンネルの「スポーツニュース」が録画予約されているので、図２の例ではこの３つの番組セルが赤く塗りつぶされている。本例では色を異ならせることにより録画番組を他の番組と区別するようにしたが、輝度を異ならせるようにしてもよい。これにより、どの番組が録画予約されているかが容易に認識することができる。
【００２０】
また上述したように、カーソルによって指定された（カーソルが重ね合わされた）番組セル２０４内の番組が属する時間帯において録画予約された番組数が、最大録画予約数と等しい場合は、それ以上の録画予約ができないことをユーザーに告知するための吹き出し型メッセージ２０７が、番組表２０１と重畳されて表示される。
【００２１】
たとえば図２に示すように、例えば９：００〜１０：００の時間帯において、０１０チャンネルの「ドキュメンタリー」、０３０チャンネルの「バラエティー」及び０４０チャンネルの「スポーツニュース」の３つの番組が既に録画予約されているものとする。この録画予約された番組数は、最大録画予約数である３と等しい。よって、カーソル２０５が０２０チャンネルの９時から開始される「映画」を含む番組セルを指定すると、その「映画」は上記３番組が録画予約されている時間帯に属しているため、カーソル２０５の当該番組セルの指定に応答してメッセージ２０７が表示される。ここで、メッセージ２０７は、決定ボタン６４を押すことなしに表示され、ユーザーは、カーソル２０５を任意の時間帯の番組に合わせることのみで、上記のようなメッセージ２０７を表示することができる。またこのメッセージ２０７は「予約再設定」と記述されたアイコンを含んでおり、これをユーザーが選択、すなわち決定ボタン６４を押すと、既に録画予約された３つの番組についての録画予約を再設定することができる。
【００２２】
以上のように、指定されている番組が属する時刻帯に、既に最大録画予約数と同数の録画予約が登録されていた場合、吹き出し型メッセージ２０７が表示されるので、録画したい番組が録画可能か否かを容易かつ迅速に確認することができる。
【００２３】
次に、番組セルの枠２０５が表示されている現在選択中の番組が属する時刻帯に、既に録画予約されている番組数が最大録画予約数であるかどうかの判定方法を、図３のフローチャートで説明する。図３に示すフローチャートの処理は、番組セルの枠２０５を表示した後に番組表作成部１０５によって実施される。
【００２４】
図３において、処理Ｓ１では番組情報格納・管理部１０２のデータを番組表作成部１０５が参照し、表示されている番組表上において現在選択中である番組セルの枠２０５が表示されている番組の、開始時刻及び終了時刻を取得する。次に処理Ｓ２では、番組表作成部１０５が録画予約情報格納・管理部１０７のデータを参照して、既に録画予約の登録をされている番組の開始時刻と終了時刻を取得する。
【００２５】
次に処理Ｓ３においては、もし番組表作成部１０５が処理Ｓ２で取得した録画予約済み番組の終了時刻が、処理Ｓ１で取得した選択された番組の開始時刻以後であり、かつ、処理Ｓ２で取得した録画予約済み番組の開始時刻が、処理Ｓ１で取得した選択された番組の終了時刻以前である場合は、処理Ｓ４として選択された番組と同時刻帯に予約されている番組数を一つ増やした後、次の処理Ｓ５を行う。それ以外の場合は、そのまま処理Ｓ５を続行する。
【００２６】
処理Ｓ５では、既に録画予約されている番組がまだあるかどうかを、録画予約情報格納・管理部１０７のデータを参照して調べる。まだ録画予約されている番組があれば、処理Ｓ６で次の録画予約済み番組の開始時刻と終了時刻を録画予約情報格納・管理部１０７のデータを参照して設定し、再び処理Ｓ３に戻る。
【００２７】
処理Ｓ５にて、録画予約されている番組が無いと判定された場合は、そのまま処理Ｓ７へと移行する。処理Ｓ７では、これまでカウントしてきた、選択された番組と同じ時刻帯に既に録画予約されている番組数が、最大録画予約数より小さいかどうかを判定する。小さければそのまま処理を終了する。小さくなければ、処理Ｓ８にて吹き出し型のメッセージを表示する処理を行う。上述の処理Ｓ８にて表示される吹き出し型のメッセージは、図２の２０７のように示される。吹き出し型メッセージ２０７は、選択された番組は録画予約できない旨をユーザーに伝えるものである。
【００２８】
また選択された番組を録画予約するためには、選択された番組が属する時刻帯に既に録画予約されている番組を、取り消せば選択された番組が録画予約できる事もユーザーに伝える。さらに同時刻帯に既に録画予約された番組の録画予約を取り消す手段を提供する。具体的には、吹き出し型メッセージ２０７の内部に表示されているボタン「予約再設定」を選択する事で達成できる。その場合、図４に示すように、録画予約した番組それぞれに対して録画予約の登録を取り消せる画面を表示する。そこで既に録画予約されている番組４０１〜４０３を選択し、録画予約の登録を取り消すと自動的に選択された番組が新たに録画予約される事になる。
【００２９】
メッセージ２０７に示される「予約再設定」ボタンを選択した時の処理を、図５のフローチャートで説明する。「予約再設定」ボタン選択後、処理Ｓ９として、番組表作成部１０５が、録画予約情報格納・管理部１０７のデータを参照して、既に録画予約済みの番組の中で、現在選択されている番組と時刻帯が重複している番組を検索する。
【００３０】
次に処理Ｓ１０として、検索された番組を図４の４０１〜４０３に示すようにメニューとして、上から順にチャンネル順に表示する。また、選択した番組を予約しないメニュー４０４も表示する。次に処理Ｓ１１として、前記メニューの一つを選択・決定する。決定したメニューによって、処理が分岐する。具体的には処理Ｓ１２として、決定されたメニューが「この番組を予約しない」メニュー以外のメニューであった場合は、処理Ｓ１３としてメニューによって選択された番組の録画予約を取り消す。最後に処理Ｓ１４として、現在番組表上にて選択されている番組を録画予約して、図４に示される画面を閉じる。処理Ｓ１２において、決定されたメニューが「この番組を予約しない」メニューであった場合は、そのまま図４に示される画面を閉じる。
【００３１】
以上のように、吹き出し型メッセージ２０７内部に表示されるボタンを選択する事で、選択された番組が属する時刻帯と同時刻帯に属する既に録画予約済みの番組に対して、録画予約の取り消しを行い、選択された番組の録画予約を容易に行うことができる。
【００３２】
このように、本実施例は、番組表上において番組が選択された時、選択された番組が属する時刻帯の録画予約数が同時刻帯の最大録画予約数と同数であり、選択された番組が録画予約できない場合には、録画予約できない旨のメッセージを表示する。このため、全てのチャンネルをスクロール表示せずに、また、実際に録画予約操作を実行せずに、録画したい番組が録画可能か否かを容易かつ迅速に確認できる。
【００３３】
また、上記メッセージに、既存の録画予約情報の再設定（取り消し）を行えるアイコンを設け、これを選択すると、選択された番組が属する時刻帯と同時刻帯に属する録画予約済みの番組に対して、録画予約情報の予約再設定を行える。これにより、選択された番組の録画予約が容易に行うことができる。
【産業上の利用可能性】
【００３４】
本発明は、テレビジョン放送を受信して記録するＤＶＤレコーダ、ＨＤＤレコーダ、また録画機能を備えたテレビジョンやパーソナルコンピュータなどに適用できる。
【図面の簡単な説明】
【００３５】
【図１】本発明の実施の形態による番組録画予約装置の機能的構成を示す図である。
【図２】本発明の実施の形態による録画予約されている時の番組録画予約装置が表示する番組表と吹き出し型メッセージの表示例を示す図である。
【図３】本発明の実施の形態による選択された番組が録画予約可能か否かを判定するフローチャートである。
【図４】本発明の実施の形態による番組録画予約装置が表示する予約再設定画面の表示例を示す図である。
【図５】本発明の実施の形態による番組録画予約装置が表示する予約再設定画面の表示及び操作のフローチャートである。
【図６】本実施形態に係る番組録画予約装置に使用されるリモコン装置の概略図。
【符号の説明】
【００３６】
１０１…放送ストリーム取得・解析部、１０２…番組情報格納・管理部、１０３…入力キー群、１０４…入力キー処理部、１０５…番組表作成部、１０６…ディスプレイ、１０７…録画予約情報格納・管理部、１０８…録画コマンド処理部、１０９…録画記録装置、２０１…番組表、２０２…チャンネル表示欄、２０３…時間帯表示欄、２０４…番組セル、２０５…カーソル、２０６…録画予約されている番組セル、２０７…メッセージ
【図１】
2008148076.tif 000003
【図２】
2008148076.tif 000004
【図３】
2008148076.tif 000005
【図４】
2008148076.tif 000006
【図５】
2008148076.tif 000007
【図６】
2008148076.tif 000008